(57)【特許請求の範囲】
【請求項１】
環状の基材と、
前記環状の基材の内周面側に設けられた最内層であって、直径が０．５μｍ以上２０μｍ以下であり、長さが１ｍｍ以上１００ｍｍ以下であり、ポリイミド繊維及びポリフェニレンサルファイド繊維から選ばれる少なくとも１種である耐熱性繊維を含有し、内周面に凹凸構造が形成された最内層と、
を有する定着部材。
【請求項２】
前記最内層の内周面の算術平均粗さ（Ｒａ）が、０．１μｍ以上０．５μｍ以下である請求項１に記載の定着部材。
【請求項３】
前記耐熱性繊維の直径が、１μｍ以上１０μｍ以下であり、前記耐熱性繊維の長さが、３ｍｍ以上３０ｍｍ以下である請求項１又は請求項２に記載の定着部材。
【請求項４】
前記最内層の厚さが、５μｍ以上２０μｍ以下である請求項１〜請求項３のいずれか１項に記載の定着部材。
【請求項５】
前記耐熱性繊維が、ポリイミド繊維である請求項１〜請求項４のいずれか１項に記載の定着部材。
【請求項６】
第１回転体と、第１回転体の外面に接して配置される第２回転体と、を備え、
前記第１回転体及び前記第２回転体の少なくとも一方が、請求項１〜請求項５のいずれか１項に記載の定着部材である定着装置。
【請求項７】
像保持体と、
前記像保持体の表面を帯電させる帯電手段と、
帯電された前記像保持体の表面に潜像を形成する潜像形成手段と、
前記潜像をトナーにより現像してトナー像を形成する現像手段と、
前記トナー像を記録媒体に転写する転写手段と、
前記トナー像を前記記録媒体に定着する定着手段であって、請求項６に記載の定着装置である定着手段と、
を備える画像形成装置。
【発明の詳細な説明】
【技術分野】
【０００１】
本発明は、定着部材、定着装置、及び画像形成装置に関する。
【背景技術】
【０００２】
電子写真方式を用いた画像形成装置（複写機、ファクシミリ、プリンタ等）では、記録材上に形成された未定着のトナー像を定着装置によって定着して画像形成している。
例えば、特許文献１には、「可撓性を有する筒状のフィルムと、前記フィルムの内面と接触するニップ部形成部材と、前記フィルムを介して前記ニップ部形成部材と共にニップ部を形成する加圧部材と、を有し、トナー画像を担持する記録材を前記ニップ部で搬送しつつ加熱する像加熱装置において、前記フィルムの内面の前記ニップ部形成部材と摺動する領域にスキューネスＲｓｋ＜０を満足する粗面部を有することを特徴とする像加熱装置」が開示されている。
【先行技術文献】
【特許文献】
【０００３】
【特許文献１】特開２０１２−１９８５１６号公報
【発明の概要】
【発明が解決しようとする課題】
【０００４】
本発明の課題は、高温（例えば、１８０℃以上）の条件で使用した場合において、内周面に保持する潤滑剤の保持量の減少を抑制する定着部材を提供することである。
【課題を解決するための手段】
【０００５】
上記課題は、以下の手段により解決される。
即ち、請求項１に係る発明は、
環状の基材と、
前記環状の基材の内周面側に設けられた最内層であって、直径が０．５μｍ以上２０μｍ以下であり、長さが１ｍｍ以上１００ｍｍ以下であり、ポリイミド繊維及びポリフェニレンサルファイド繊維から選ばれる少なくとも１種である耐熱性繊維を含有し、内周面に凹凸構造が形成された最内層と、
を有する定着部材である。
【０００７】
請求項２に係る発明は、
前記最内層の内周面の算術平均粗さ（Ｒａ）が、０．１μｍ以上０．５μｍ以下である請求項１に記載の定着部材である。
【０００８】
請求項３に係る発明は、
前記耐熱性繊維の直径が、１μｍ以上１０μｍ以下であり、前記耐熱性繊維の長さが、３ｍｍ以上３０ｍｍ以下である請求項１又は請求項２に記載の定着部材である。
【０００９】
請求項４に係る発明は、
前記最内層の厚さが、５μｍ以上２０μｍ以下である請求項１〜請求項３のいずれか１項に記載の定着部材である。
【００１０】
請求項５に係る発明は、
前記耐熱性繊維が、ポリイミド繊維である請求項１〜請求項４のいずれか１項に記載の定着部材である。
【００１１】
請求項６に係る発明は、
第１回転体と、第１回転体の外面に接して配置される第２回転体と、を備え、
前記第１回転体及び前記第２回転体の少なくとも一方が、請求項１〜請求項５のいずれか１項に記載の定着部材である定着装置である。
【００１２】
請求項７に係る発明は、
像保持体と、
前記像保持体の表面を帯電させる帯電手段と、
帯電された前記像保持体の表面に潜像を形成する潜像形成手段と、
前記潜像をトナーにより現像してトナー像を形成する現像手段と、
前記トナー像を記録媒体に転写する転写手段と、
前記トナー像を前記記録媒体に定着する定着手段であって、請求項６に記載の定着装置である定着手段と、
を備える画像形成装置である。
【発明の効果】
【００１３】
請求項１に係る発明によれば、ブラスト加工、又は切削加工により粗面化された金型によって、内周面が粗面化された定着部材である場合に比べて、内周面に保持する潤滑剤の保持量の減少が抑制される定着部材が提供される。
【００１５】
請求項２に係る発明によれば、最内層の内周面の算術平均粗さ（Ｒａ）が０．１μｍ未満０．５μｍを超える場合に比べて、内周面に保持する潤滑剤の保持量の減少が抑制される定着部材が提供される。
【００１６】
請求項３に係る発明によれば、耐熱性繊維の直径が１μｍ未満１０μｍを超え、長さが３ｍｍ未満３０ｍｍを超える場合に比べて、内周面に保持する潤滑剤の保持量の減少が抑制される定着部材が提供される。
【００１７】
請求項４に係る発明によれば、最内層の厚さが、５μｍ未満２０μｍを超える場合に比べて、内周面に保持する潤滑剤の保持量の減少が抑制される定着部材が提供される。
【００１８】
請求項５に係る発明によれば、耐熱性繊維が、ポリフェニレンサルファイド繊維である場合に比べて、内周面に保持する潤滑剤の保持量の減少が抑制される定着部材が提供される。
【００１９】
請求項６、又は７に係る発明によれば、ブラスト加工、又は切削加工により粗面化された金型によって、内周面が粗面化された定着部材を適用した場合に比べて、内周面に保持する潤滑剤の保持量の減少が抑制される定着装置、又は画像形成装置が提供される。
【図面の簡単な説明】
【００２０】
【図１】本実施形態に係る定着部材の一例を示す模式断面図である。
【図２】第１実施形態に係る定着装置の一例を示す概略構成図である。
【図３】第２実施形態に係る定着装置の一例を示す概略構成図である。
【図４】本実施形態に係る画像形成装置の一例を示す概略構成図である。
【発明を実施するための形態】
【００２１】
以下、本発明の一例である実施形態について詳細に説明する。
なお、実質的に同一の機能を有する部材には、全図面を通して同じ符合を付与し、重複する説明は適宜省略する場合がある。
【００２２】
＜定着部材＞
本実施形態に係る定着部材について説明する。
図１は、本実施形態に係る定着部材の一例を示す概略断面図である。
【００２３】
本実施形態に係る定着部材１１０は、図１に示すように、例えば、環状の基材１１０Ａと、環状の基材１１０Ａの内周面側に設けられた最内層１１０Ｂであって、耐熱性繊維を含む最内層１１０Ｂとを有している。さらに、環状の基材１１０Ａの外周面側には、弾性層１１０Ｃと、弾性層１１０Ｃ上に設けられた表面層１１０Ｄとを有している。
【００２４】
なお、本実施形態に係る定着部材１１０は、上記層構成に限られず、必要に応じて、例えば、基材１１０Ａと弾性層１１０Ｃとの間に金属層やその保護層を介在させた層構成であってもよい。また、弾性層１１０Ｃ、及び表面層１１０Ｄは、必要に応じて設けられる層である。
【００２５】
従来、定着装置の一方式として、例えば、駆動加圧ロールと定着ベルト（定着部材の一例）と加圧パッドと加熱源とを備えた定着方式が採用されている。この定着方式の定着装置では、上記の定着ベルトが加圧パッドと接触しつつ回転するため、定着ベルトには、駆動負荷が生じる。この駆動負荷を低減させるため、例えば、定着ベルトの内周面と加圧パッドとの間に、潤滑剤を介在させること等が行われている。また、定着ベルトの内周面を粗面化することが行われており、定着ベルトの内周面を粗面化することは、潤滑剤の保持を向上し得る点で有効である。
【００２６】
近年、定着装置に対する要求が進んでおり、高温で使用する条件に耐え得る定着装置が検討されている。しかしながら、例えば、ブラスト加工や、切削加工により粗面化された金型を使用して、内周面を粗面化した定着ベルトを使用したとしても、使用可能な寿命が短くなりやすくなる。これは、上記のように定着ベルトの内周面を粗面化しても、高温で使用する条件では、潤滑剤の粘度が低下し、流動性が上昇するため、内周面に潤滑剤を保持し難くなることがあるためと考えられる。
【００２７】
ここで、耐熱性繊維を含む最内層を有する本実施形態に係る定着部材を、例えば、定着部材の一例である定着ベルトとして用いると、高温（例えば、１８０℃以上）の条件で使用した場合において、最内層の内周面に保持する潤滑剤の保持量の減少が抑制される。これは、以下の点が、その理由として挙げられる。
【００２８】
耐熱性繊維は、最内層中で、互いに絡み合ったり、重なり合ったりして存在している。  そして、この状態で存在する耐熱性繊維が、最内層の内周面側から突出することにより、最内層の内周面には、入り組んだ凹部形状を有する凹凸構造が形成されている。この入り組んだ形状の凹部にまで、潤滑剤が保持されるために、高温の条件で使用した場合であっても、潤滑剤の保持量の減少が抑制されると考えられる。また、本実施形態に係る定着部材は、潤滑剤の保持量の減少が抑制されるために、結果として、ブラスト加工や、切削加工により粗面化された金型を使用して、内周面を粗面化した定着ベルトを使用した場合よりも、使用可能な寿命が長くなる。
【００２９】
以上により、本実施形態に係る定着部材は、高温（例えば、１８０℃以上）の条件で使用した場合において、最内層の内周面に保持する潤滑剤の保持量の減少が抑制される。
【００３０】
なお、上記では、駆動加圧ロールと定着ベルトと加圧パッドと加熱源とを備えた定着方式の定着装置に適用した場合を例に挙げて説明したが、この方式の定着装置に限られない。他の定着方式の定着装置にも適用しても、上記と同様に、高温の条件で使用した場合において、潤滑剤の保持量の減少が抑制される。
【００３１】
以下、本実施形態に係る定着部材１１０の構成要素について詳細に説明する。
なお、符号は省略して説明する。
【００３２】
ここで、本実施形態に係る定着部材において、「耐熱性」とは、定着装置の昇温温度（例えば、定着温度）に達しても、溶けたり分解したりしない特性を示す。つまり、定着装置の昇温温度に耐え得る性質を有する。
【００３３】
［環状の基材］
環状の基材としては、例えば、ニッケル、アルミニウム、ステンレス等の金属製の基材；ポリイミド、ポリアミドイミド、ポリフェニレンサルファイド、ポリエーテルエーテルケトン、ポリベンゾイミダゾール等の樹脂製の基材；が挙げられる。また、環状の基材が樹脂製である場合には、例えば、熱伝導性等の各特性を制御する観点から、カーボンブラック等の各種の充填剤が含有されていてもよい。
【００３４】
これらのうち、基材としては、内周面側に、耐熱性繊維を含む最内層を設ける観点から、樹脂製の基材であることが好ましい。樹脂製の基材の中でも、耐熱性、機械的強度、製造容易性等の観点から、ポリイミドを用いることがさらに好ましい。
【００３５】
基材の厚みは、例えば、２０μｍ以上２００μｍ以下であることがよく、３０μｍ以上１５０μｍ以下であることがさらに好ましい。４０μｍ以上１３０μｍ以下であることが特に好ましい。
【００３６】
［最内層］
最内層は、耐熱性繊維を含有することにより、内周面に、入り組んだ凹部形状を有する凹凸構造が形成される。この凹凸構造が形成されることにより、高温で使用した場合において、潤滑剤の保持量の減少が抑制される。つまり、潤滑剤を保持する層として機能する。
また、最内層の一例として、耐熱性繊維の他に、例えば、樹脂を含有している。耐熱性繊維どうしを保持させる観点、及び、最内層を基材に保持させる観点から、樹脂を含有していることが好ましい。
【００３７】
（耐熱性繊維）
「繊維」とは、糸状や紐状等の細長い形状を示す物質である。
つまり、「耐熱性繊維」とは、定着装置の昇温温度に達しても、溶けたり分解したりしない、糸状や紐状等の細長い形状を示す物質を示す。
【００３８】
耐熱性繊維は、耐熱性を有する繊維であれば、特に限定されない。植物等の天然由来や、樹脂等の人工由来の有機繊維でもよく、無機繊維のいずれでもよい。耐熱性繊維としては、例えば、具体的には、ポリイミド繊維、ポリアミドイミド繊維、ポリフェニレンサルファイド繊維、ポリエーテルエーテルケトン繊維、ポリベンゾイミダゾール繊維等の有機繊維；ガラス繊維、セラミック繊維、炭素繊維等の無機繊維；が挙げられる。
【００３９】
耐熱性繊維は、１種単独で使用してもよいし、２種以上を併用してもよい。さらに、有機繊維としては、例えば、１種単独の樹脂を使用した単繊維でもよく、２種以上の樹脂を使用した複合繊維であってもよい。
【００４０】
これらの中でも、例えば、最内層と接触する部材の摩耗や、擦傷を抑制させる観点から、有機繊維を用いることが好ましい。有機繊維の中でも、耐熱性、機械的強度、製造容易性等の観点から、ポリイミド繊維を用いることがさらに好ましい。
【００４１】
耐熱性繊維としては、潤滑剤の保持量の減少をより抑制しやすくする観点から、耐熱性繊維の直径が、最内層の厚さ以上であることが好ましい。この構成とすることで、互いに絡み合ったり、重なり合ったりした耐熱性繊維が内周面に突出しやすくなり、入り組んだ凹部形状を有する凹凸構造をより形成させやすくなる。そして、潤滑剤の保持力がより高まりやすくなる。
【００４２】
最内層の内周面の表面状態は、潤滑剤の保持量の減少をより抑制しやすくする観点から、内周面の算術平均粗さ（Ｒａ）が、０．０５μｍ以上０．８μｍ以下であることがよい。０．１μｍ以上０．５μｍ以下がさらに好ましい。
【００４３】
なお、算術平均粗さ（Ｒａ）は、表面粗さ測定装置（ＳＵＲＦＣＯＭ  １５００ＤＸ（東京精密社製））を用いて、測定長４ｍｍ、カットオフ波長０．８ｍｍ、測定倍率１０００倍、測定速度０．３ｍｍ／ｓｅｃの条件で１０箇所を測定し、その平均値とした。
【００４４】
耐熱性繊維の直径は、繊維の絡み合いや、繊維の重なり合いを形成させて、内周面に入り組んだ凹部形状を有する凹凸構造をより形成させやすくする観点から、０．５μｍ以上２０μｍ以下であることがよい。１μｍ以上１０μｍ以下がさらに好ましく、３μｍ以上１０μｍ以下であることが特に好ましい。
【００４５】
耐熱性繊維の長さは、繊維の絡み合いや、繊維の重なり合いを形成させて、内周面に入り組んだ凹部形状を有する凹凸構造をより形成させやすくする観点から、１ｍｍ以上１００ｍｍ以下であることが好ましい。３ｍｍ以上３０ｍｍ以下であることがさらに好ましく、３ｍｍ以上１０ｍｍ以下であることが特に好ましい。
【００４６】
これらの中でも、繊維の絡み合いや、繊維の重なり合いを形成させて、内周面に入り組んだ凹部形状を有する凹凸構造をより形成させやすくする観点から、直径が０．５μｍ以上２０μｍ以下であり、長さが１ｍｍ以上１００ｍｍ以下である耐熱性繊維を用いることが好ましい。直径が１μｍ以上１０μｍ以下であり、長さが３ｍｍ以上３０ｍｍ以下であることがさらに好ましい。特に、直径が３μｍ以上１０μｍ以下であり、長さが３ｍｍ以上１０ｍｍ以下である耐熱性繊維を用いることが好ましい。
【００４７】
なお、耐熱性繊維の直径、及び長さは、次のようにして測定する。
最内層の切片を切り出し、耐熱性繊維の３０個をＳＥＭ（Ｓｃａｎｎｉｎｇ  Ｅｌｅｃｔｒｏｎ  Ｍｉｃｒｏｓｃｏｐｅ）装置により観察し、画像解析によって耐熱性繊維ごとの直径、及び長さを測定し、その平均値を耐熱性繊維の直径、及び長さとする。
【００４８】
最内層の厚さは、潤滑剤の保持量の減少をより抑制させやすくする観点から、１μｍ以上５０μｍ以下であることが好ましい。５μｍ以上２０μｍ以下であることがさらに好ましく、５μｍ以上１０μｍ以下であることが特に好ましい。
【００４９】
なお、最内層の厚さは、次のようにして測定する。
最内層の切片を切り出し、ＳＥＭ装置により観察し、画像解析によって測定した平均値である。具体的には、最内層の基材が設けられている面側から、最内層の内周面の凸部の頂点までの距離、及び内周面の凹部の頂点までの距離を、それぞれ１０箇所を測定して平均した値である。
【００５０】
最内層に含有する耐熱性繊維の含有量は、潤滑剤の保持量の減少をより抑制させやすくする観点から、最内層全体に対して、２０質量％以上８０質量％以下であることが好ましい。３０質量％以上７０質量％以下であることがさらに好ましい。
【００５１】
（樹脂）
最内層の一例として、耐熱性繊維の他に、例えば、樹脂を含有する。この樹脂は、耐熱性繊維どうしを保持したり、最内層を基材に保持する成分である。この樹脂としては、耐熱性を有していることが好ましい。例えば、具体的には、ポリイミド、ポリアミドイミド、ポリフェニレンサルファイド、ポリエーテルエーテルケトン、ポリベンゾイミダゾール、ポリベンゾオキサゾール等の樹脂が挙げられる。
なお、例えば、耐熱性繊維どうしや、上記の基材との保持性の低下等を抑制する観点から、この樹脂は、耐熱性繊維や、基材に用いる樹脂と同じ種類の樹脂を用いることが好ましい。例えば、耐熱性繊維がポリイミド繊維であり、基材がポリイミドの樹脂製の基材であった場合には、この樹脂として、ポリイミドの樹脂を用いることが好ましい。
【００５２】
［弾性層］
本実施形態に係る定着部材は、目的に応じて、弾性層を有していてもよい。弾性層は、環状の基材の外周面側に設けられる層である。この弾性層は、耐熱性弾性材料を含んでいることが好ましい。
【００５３】
耐熱性弾性材料としては、例えば、シリコーンゴム、フッ素ゴム等が挙げられる。
シリコーンゴムとしては、例えば、ＲＴＶシリコーンゴム、ＨＴＶシリコーンゴム、液状シリコーンゴムなどが挙げられ、具体的には、ポリジメチルシリコーンゴム（ＭＱ）、メチルビニルシリコーンゴム（ＶＭＱ）、メチルフェニルシリコーンゴム（ＰＭＱ）、フルオロシリコーンゴム（ＦＶＭＱ）等が挙げられる。
フッ素ゴムとしては、フッ化ビニリデン系ゴム、四フッ化エチレン／プロピレン系ゴム、四フッ化エチレン／パーフルオロメチルビニルエーテルゴム、フォスファゼン系ゴム、フルオロポリエーテル等が挙げられる。
【００５４】
弾性層には、各種添加剤が配合されてもよい。添加剤としては、例えば、軟化剤（パラフィン系等）、加工助剤（ステアリン酸等）、老化防止剤（アミン系等）、加硫剤（硫黄、金属酸化物、過酸化物等）、機能性充填剤（アルミナ等）等が挙げられる。
【００５５】
弾性層の厚みは、例えば、３０μｍ以上６００μｍ以下であることがよく、１００μｍ以上５００μｍ以下であることがさらに好ましい。
【００５６】
［表面層］
本実施形態に係る定着部材は、目的に応じて、表面層を有していてもよいが、表面層を有していることが好ましい。表面層は、環状の基材の外周面側に設けられる層である。表面層は、例えば、耐熱性離型材料を含んで構成される。
【００５７】
耐熱性離型材料としては、フッ素ゴム、フッ素樹脂、シリコーン樹脂、ポリイミド樹脂等が挙げられる。
これらの中でも、耐熱性離型材料としては、フッ素樹脂がよい。フッ素樹脂として具体的には、例えば、テトラフルオロエチレン／パーフルオロアルキルビニルエーテル共重合体（ＰＦＡ）、ポリテトラフルオロエチレン（ＰＴＦＥ）、テトラフルオロエチレン／ヘキサフルオロプロピレン共重合体（ＦＥＰ）、ポリエチレン／テトラフルオロエチレン共重合体（ＥＴＦＥ）、ポリフッ化ビニリデン（ＰＶＤＦ）、ポリクロロ三フッ化エチレン（ＰＣＴＦＥ）、フッ化ビニル（ＰＶＦ）等が挙げられる。
【００５８】
表面層の厚みは、例えば、５μｍ以上５０μｍ以下であることがよく、１０μｍ以上４０μｍ以下であることがさらに好ましい。
【００５９】
［定着部材の用途］
本実施形態に係る定着部材は、例えば、無端状のベルトとして、加熱ベルト、加圧ベルトのいずれにも適用される。なお、加熱ベルトとしては、電磁誘導方式により加熱する加熱ベルト、外部の熱源から加熱する加熱ベルトのいずれであってもよい。
但し、本実施形態に係る定着部材を電磁誘導方式により加熱する加熱ベルトに適用する場合、基材と弾性層との間に、電磁誘導により発熱する金属層（発熱層）を設けることがよい。
【００６０】
＜定着装置＞
本実施形態に係る定着装置としては、種々の構成があり、例えば、第１回転体と、第１回転体の外面に接して配置される第２回転体と、を備える。そして、第１回転体及び第２回転体の少なくとも一方として、本実施形態に係る定着部材が適用される。
【００６１】
以下に、第１実施形態として、加熱ロールと加圧ベルトとを備えた定着装置を説明する。また、第２実施形態として、加熱ベルトと加圧ロールとを備えた定着装置を説明する。そして、第１及び第２実施形態において、本実施形態に係る定着部材は、加圧ベルト、加熱ベルトのいずれにも適用され得る。
なお、本実施形態に係る定着装置は、第１及び第２実施形態に限られない。例えば、電磁誘導加熱方式の定着装置であってもよい。
【００６２】
［定着装置の第１実施形態］
第１実施形態に係る定着装置について説明する。図２は、第１実施形態に係る定着装置の一例を示す概略図である。
なお、第１実施形態に係る定着装置において、本実施形態に係る定着部材は、加圧ベルト（定着部材の一例）として適用される。
【００６３】
第１実施形態に係る定着装置６０は、図２に示すように、例えば、回転駆動する加熱ロール６１（第１回転体の一例）と、加圧ベルト６２（第２回転体の一例）と、加圧ベルト６２を介して加熱ロール６１を押圧する押圧パッド６４（押圧部材の一例）とを備えて構成されている。
なお、押圧パッド６４は、例えば、加圧ベルト６２と加熱ロール６１とが相対的に加圧されていればよい。従って、加圧ベルト６２側が加熱ロール６１に加圧されてもよく、加熱ロール６１側が加熱ロール６１に加圧されてもよい。
【００６４】
加熱ロール６１の内部には、ハロゲンランプ６６（加熱手段の一例）が配設されている。加熱手段としては、ハロゲンランプに限られず、発熱する他の発熱部材を用いてもよい。
【００６５】
一方、加熱ロール６１の表面には、例えば、感温素子６９が接触して配置されている。この感温素子６９による温度計測値に基づいて、ハロゲンランプ６６の点灯が制御され、加熱ロール６１の表面温度が目的とする設定温度に制御される。
【００６６】
加圧ベルト６２は、例えば、内部に配置された押圧パッド６４とベルト走行ガイド６３とによって回転自在に支持されている。そして、挟込領域Ｎ（ニップ部）において押圧パッド６４により加熱ロール６１に対して押圧されて配置されている。
【００６７】
押圧パッド６４は、例えば、加圧ベルト６２の内側において、加圧ベルト６２を介して加熱ロール６１に加圧される状態で配置され、加熱ロール６１との間で挟込領域Ｎを形成している。
押圧パッド６４は、例えば、幅の広い挟込領域Ｎを確保するための前挟込部材６４ａを挟込領域Ｎの入口側に配置し、加熱ロール６１に歪みを与えるための剥離挟込部材６４ｂを挟込領域Ｎの出口側に配置している。
【００６８】
加圧ベルト６２の内周面と押圧パッド６４との摺動抵抗を小さくするために、例えば、前挟込部材６４ａ及び剥離挟込部材６４ｂの加圧ベルト６２と接する面にシート状の摺動部材６８が設けられている。そして、押圧パッド６４と摺動部材６８とは、金属製の保持部材６５に保持されている。
なお、摺動部材６８は、例えば、その摺動面が加圧ベルト６２の内周面と接するように設けられており、加圧ベルト６２との間に存在する潤滑剤の保持・供給に関与する。
【００６９】
保持部材６５には、例えば、ベルト走行ガイド６３が取り付けられ、加圧ベルト６２が回転する構成となっている。
【００７０】
加熱ロール６１は、例えば、図示しない駆動モータにより矢印Ｓ方向に回転し、この回転に従動して加圧ベルト６２は、加熱ロール６１の回転方向と反対の矢印Ｒ方向へ回転する。すなわち、例えば、加熱ロール６１が図２における時計方向へ回転するのに対して、加圧ベルト６２は反時計方向へ回転する。
【００７１】
そして、未定着トナー像を有する用紙Ｋ（記録媒体の一例）は、例えば、定着入口ガイド５６によって導かれて、挟込領域Ｎに搬送される。そして、用紙Ｋが挟込領域Ｎを通過する際に、用紙Ｋ上のトナー像は挟込領域Ｎに作用する圧力と熱とによって定着される。
【００７２】
第１実施形態に係る定着装置６０では、例えば、加熱ロール６１の外周面に倣う凹形状の前挟込部材６４ａにより、前挟込部材６４ａがない構成に比して、広い挟込領域Ｎを確保される。
【００７３】
また、第１実施形態に係る定着装置６０では、例えば、加熱ロール６１の外周面に対し突出させて剥離挟込部材６４ｂを配置することにより、挟込領域Ｎの出口領域において加熱ロール６１の歪みが局所的に大きくなるように構成されている。
【００７４】
このように剥離挟込部材６４ｂを配置すれば、例えば、定着後の用紙Ｋは、剥離挟込領域を通過する際に、局所的に大きく形成された歪みを通過することになるので、用紙Ｋが加熱ロール６１から剥離しやすい。
【００７５】
剥離の補助手段として、例えば、加熱ロール６１の挟込領域Ｎの下流側に、剥離部材７０を配設されている。剥離部材７０は、例えば、剥離爪７１が加熱ロール６１の回転方向と対向する向き（カウンタ方向）に加熱ロール６１と近接する状態で保持部材７２によって保持されている。
【００７６】
［定着装置の第２実施形態］
第２実施形態に係る定着装置について説明する。図３は、第２実施形態に係る定着装置の一例を示す概略図である。なお、第２実施形態に係る定着装置において、本実施形態に係る定着部材は、加熱ベルト（定着部材の一例）として適用される。
【００７７】
第２実施形態に係る定着装置８０は、図３に示すように、例えば、加熱ベルト８４（第１回転体の一例）を備える定着ベルトモジュール８６と、加熱ベルト８４（定着ベルトモジュール８６）に押圧して配置された加圧ロール８８（第２回転体の一例）とを含んで構成されている。そして、例えば、加熱ベルト８４（定着ベルトモジュール８６）と加圧ロール８８とが接触する挟込領域Ｎ（ニップ部）が形成されている。挟込領域Ｎでは、用紙Ｋ（記録媒体の一例）が加圧及び加熱されトナー像が定着される。
【００７８】
定着ベルトモジュール８６は、例えば、無端状の加熱ベルト８４と、加圧ロール８８側で加熱ベルト８４が巻き掛けられ、モータ（不図示）の回転力で回転駆動すると共に加熱ベルト８４をその内周面から加圧ロール８８側へ押し付ける加熱押圧ロール８９と、加熱押圧ロール８９と異なる位置で内側から加熱ベルト８４を支持する支持ロール９０とを備えている。
定着ベルトモジュール８６は、例えば、加熱ベルト８４の外側に配置されてその周回経路を規定する支持ロール９２と、加熱押圧ロール８９から支持ロール９０までの加熱ベルト８４の姿勢を矯正する姿勢矯正ロール９４と、加熱ベルト８４（定着ベルトモジュール８６）と加圧ロール８８とが接触する領域である挟込領域Ｎの下流側において加熱ベルト８４を内周面から張力を付与する支持ロール９８とが設けられている。
【００７９】
そして、定着ベルトモジュール８６は、例えば、加熱ベルト８４と加熱押圧ロール８９との間に、シート状の摺動部材８２が介在するように設けられている。
摺動部材８２は、例えば、その摺動面が加熱ベルト８４の内周面と接するように設けられており、加熱ベルト８４との間に存在する潤滑剤の保持・供給に関与する。
ここで、摺動部材８２は、例えば、その両端が支持部材９６により支持された状態で設けられている。
【００８０】
加熱押圧ロール８９の内部には、例えば、ハロゲンヒータ８９Ａ（加熱手段の一例）が設けられている。
【００８１】
支持ロール９０は、例えば、アルミニウムで形成された円筒状ロールであり、内部にはハロゲンヒータ９０Ａ（加熱手段の一例）が配設されており、加熱ベルト８４を内周面側から加熱するようになっている。
支持ロール９０の両端部には、例えば、加熱ベルト８４を外側に押圧するバネ部材（不図示）が配設されている。
【００８２】
支持ロール９２は、例えば、アルミニウムで形成された円筒状ロールであり、支持ロール９２の表面には厚み２０μｍのフッ素樹脂を含む離型層が形成されている。
支持ロール９２の離型層は、例えば、加熱ベルト８４の外周面からのトナーや紙粉が支持ロール９２に堆積するのを防止するために形成されるものである。
支持ロール９２の内部には、例えば、ハロゲンヒータ９２Ａ（加熱源の一例）が配設されており、加熱ベルト８４を外周面側から加熱するようになっている。
【００８３】
つまり、例えば、加熱押圧ロール８９と支持ロール９０及び支持ロール９２とによって、加熱ベルト８４が加熱される構成となっている。
【００８４】
姿勢矯正ロール９４は、例えば、アルミニウムで形成された円柱状ロールであり、姿勢矯正ロール９４の近くには、加熱ベルト８４の端部位置を測定する端部位置測定機構（不図示）が配置されている。
姿勢矯正ロール９４には、例えば、端部位置測定機構の測定結果に応じて加熱ベルト８４の軸方向における当り位置を変位させる軸変位機構（不図示）が配設され、加熱ベルト８４の蛇行を制御するように構成されている。
【００８５】
一方、加圧ロール８８は、例えば、回転自在に支持されると共に、図示しないスプリング等の付勢手段によって加熱ベルト８４が加熱押圧ロール８９に巻き回された部位に押圧されて設けられている。これにより、定着ベルトモジュール８６の加熱ベルト８４（加熱押圧ロール８９）が矢印Ｓ方向へ回転移動するのに伴って、加熱ベルト８４（加熱押圧ロール８９）に従動して加圧ロール８８が矢印Ｒ方向に回転移動するようになっている。
【００８６】
そして、未定着トナー像（不図示）を有する用紙Ｋは、矢印Ｐ方向に搬送され、定着装置８０の挟込領域Ｎに導かれると、挟込領域Ｎに作用する圧力と熱とによって定着される。
【００８７】
なお、第２実施形態に係る定着装置８０では、加熱源の一例としてハロゲンヒータ（ハロゲンランプ）を適用した形態を説明したが、これに限られず、ハロゲンヒータ以外の輻射ランプ発熱体（放射線（赤外線等）を発する発熱体）、抵抗発熱体（抵抗に電流を流すことによりジュール熱を発生させる発熱体：例えばセラミック基板に厚膜抵抗を有する膜を形成して焼成させたもの等）を適用してもよい。
【００８８】
＜画像形成装置＞
次に、本実施形態に係る画像形成装置について説明する。
本実施形態の画像形成装置は、像保持体と、像保持体の表面を帯電させる帯電手段と、帯電された像保持体の表面に潜像を形成する潜像形成手段と、潜像をトナーにより現像してトナー像を形成する現像手段と、トナー像を記録媒体に転写する転写手段と、トナー像を記録媒体に定着する定着手段と、を備える。そして、定着手段として、本実施形態に係る定着装置が適用される。
【００８９】
以下、本実施形態に係る画像形成装置について図面を参照しつつ説明する。
図４は、本実施形態に係る画像形成装置の構成を示した概略構成図である。
【００９０】
本実施形態に係る画像形成装置１００は、図４に示すように、例えば、一般にタンデム型と呼ばれる中間転写方式の画像形成装置であって、電子写真方式により各色成分のトナー像が形成される複数の画像形成ユニット１Ｙ、１Ｍ、１Ｃ、１Ｋと、各画像形成ユニット１Ｙ、１Ｍ、１Ｃ、１Ｋにより形成された各色成分トナー像を中間転写ベルト１５に順次転写（一次転写）させる一次転写部１０と、中間転写ベルト１５上に転写された重畳トナー像を記録媒体である用紙Ｋに一括転写（二次転写）させる二次転写部２０と、二次転写された画像を用紙Ｋ上に定着させる定着装置６０と、を備えている。また、画像形成装置１００は、各装置（各部）の動作を制御する制御部４０を有している。
【００９１】
この定着装置６０が既述の第１実施形態に係る定着装置６０である。なお、画像形成装置１００は、既述の第２実施形態に係る定着装置８０を備える構成であってもよい。
【００９２】
画像形成装置１００の各画像形成ユニット１Ｙ，１Ｍ，１Ｃ，１Ｋは、表面に形成されるトナー像を保持する像保持体の一例として、矢印Ａ方向に回転する感光体１１を備えている。
【００９３】
感光体１１の周囲には、帯電手段の一例として、感光体１１を帯電させる帯電器１２が設けられ、潜像形成手段の一例として、感光体１１上に静電潜像を書込むレーザ露光器１３（図中露光ビームを符号Ｂｍで示す）が設けられている。
【００９４】
また、感光体１１の周囲には、現像手段の一例として、各色成分トナーが収容されて感光体１１上の静電潜像をトナーにより可視像化する現像器１４が設けられ、感光体１１上に形成された各色成分トナー像を一次転写部１０にて中間転写ベルト１５に転写する一次転写ロール１６が設けられている。
【００９５】
更に、感光体１１の周囲には、感光体１１上の残留トナーが除去される感光体クリーナ１７が設けられ、帯電器１２、レーザ露光器１３、現像器１４、一次転写ロール１６及び感光体クリーナ１７の電子写真用デバイスが感光体１１の回転方向に沿って順次配設されている。これらの画像形成ユニット１Ｙ，１Ｍ，１Ｃ，１Ｋは、中間転写ベルト１５の上流側から、イエロー（Ｙ）、マゼンタ（Ｍ）、シアン（Ｃ）、ブラック（Ｋ）の順に、略直線状に配置されている。
【００９６】
中間転写体である中間転写ベルト１５は、ポリイミド又はポリアミド等の樹脂をベース層としてカーボンブラック等の帯電防止剤を適当量含有させたフィルム状の加圧ベルトで構成されている。そして、その体積抵抗率は１０６Ωｃｍ以上１０１４Ωｃｍ以下となるように形成されており、その厚みは、例えば、０．１ｍｍ程度に構成されている。
【００９７】
中間転写ベルト１５は、各種ロールによって図４に示すＢ方向に目的に合わせた速度で循環駆動（回転）されている。この各種ロールとして、定速性に優れたモータ（不図示）により駆動されて中間転写ベルト１５を回転させる駆動ロール３１、各感光体１１の配列方向に沿って略直線状に延びる中間転写ベルト１５を支持する支持ロール３２、中間転写ベルト１５に対して張力を与えると共に中間転写ベルト１５の蛇行を防止する補正ロールとして機能する張力付与ロール３３、二次転写部２０に設けられる背面ロール２５、中間転写ベルト１５上の残留トナーを掻き取るクリーニング部に設けられるクリーニング背面ロール３４を有している。
【００９８】
一次転写部１０は、中間転写ベルト１５を挟んで感光体１１に対向して配置される一次転写ロール１６で構成されている。一次転写ロール１６は、芯体と、芯体の周囲に固着された弾性層としてのスポンジ層とで構成されている。芯体は、鉄、ＳＵＳ等の金属で構成された円柱棒である。スポンジ層はカーボンブラック等の導電剤を配合したＮＢＲとＳＢＲとＥＰＤＭとのブレンドゴムで形成され、体積抵抗率が１０７．５Ωｃｍ以上１０８．５Ωｃｍ以下のスポンジ状の円筒状ロールである。
【００９９】
そして、一次転写ロール１６は中間転写ベルト１５を挟んで感光体１１に圧接配置され、更に一次転写ロール１６にはトナーの帯電極性（マイナス極性とする。以下同様。）と逆極性の電圧（一次転写バイアス）が印加されるようになっている。これにより、各々の感光体１１上のトナー像が中間転写ベルト１５に順次、静電吸引され、中間転写ベルト１５上において重畳されたトナー像が形成されるようになっている。
【０１００】
二次転写部２０は、背面ロール２５と、中間転写ベルト１５のトナー像保持面側に配置される二次転写ロール２２と、を備えて構成されている。
【０１０１】
背面ロール２５は、表面がカーボンを分散したＥＰＤＭとＮＢＲのブレンドゴムのチューブ、内部はＥＰＤＭゴムで構成されている。そして、その表面抵抗率が１０７Ω／□以上１０１０Ω／□以下となるように形成され、硬度は、例えば、７０°（アスカーＣ：高分子計器社製、以下同様。）に設定される。この背面ロール２５は、中間転写ベルト１５の裏面側に配置されて二次転写ロール２２の対向電極を構成し、二次転写バイアスが安定的に印加される金属製の給電ロール２６が接触配置されている。
【０１０２】
一方、二次転写ロール２２は、芯体と、芯体の周囲に固着された弾性層としてのスポンジ層とで構成されている。芯体は鉄、ＳＵＳ等の金属で構成された円柱棒である。スポンジ層はカーボンブラック等の導電剤を配合したＮＢＲとＳＢＲとＥＰＤＭとのブレンドゴムで形成され、体積抵抗率が１０７．５Ωｃｍ以上１０８．５Ωｃｍ以下のスポンジ状の円筒状ロールである。
【０１０３】
そして、二次転写ロール２２は中間転写ベルト１５を挟んで背面ロール２５に圧接配置され、更に二次転写ロール２２は接地されて背面ロール２５との間に二次転写バイアスが形成され、二次転写部２０に搬送される用紙Ｋ上にトナー像を二次転写する。
【０１０４】
また、中間転写ベルト１５の二次転写部２０の下流側には、二次転写後の中間転写ベルト１５上の残留トナーや紙粉を除去し、中間転写ベルト１５の表面をクリーニングする中間転写ベルトクリーナ３５が接離自在に設けられている。
【０１０５】
なお、中間転写ベルト１５、一次転写部１０（一次転写ロール１６）、及び二次転写部２０（二次転写ロール２２）が、転写手段の一例に該当する。
【０１０６】
一方、イエローの画像形成ユニット１Ｙの上流側には、各画像形成ユニット１Ｙ，１Ｍ，１Ｃ，１Ｋにおける画像形成タイミングをとるための基準となる基準信号を発生する基準センサ（ホームポジションセンサ）４２が配設されている。また、黒の画像形成ユニット１Ｋの下流側には、画質調整を行うための画像濃度センサ４３が配設されている。この基準センサ４２は、中間転写ベルト１５の裏側に設けられたマークを認識して基準信号を発生しており、この基準信号の認識に基づく制御部４０からの指示により、各画像形成ユニット１Ｙ，１Ｍ，１Ｃ，１Ｋは画像形成を開始するように構成されている。
【０１０７】
更に、本実施形態に係る画像形成装置では、用紙Ｋを搬送する搬送手段として、用紙Ｋを収容する用紙収容部５０、この用紙収容部５０に集積された用紙Ｋを予め定められたタイミングで取り出して搬送する給紙ロール５１、給紙ロール５１により繰り出された用紙Ｋを搬送する搬送ロール５２、搬送ロール５２により搬送された用紙Ｋを二次転写部２０へと送り込む搬送ガイド５３、二次転写ロール２２により二次転写された後に搬送される用紙Ｋを定着装置６０へと搬送する搬送ベルト５５、用紙Ｋを定着装置６０に導く定着入口ガイド５６を備えている。
【０１０８】
次に、本実施形態に係る画像形成装置の基本的な作像プロセスについて説明する。
本実施形態に係る画像形成装置では、図示しない画像読取装置や図示しないパーソナルコンピュータ（ＰＣ）等から出力される画像データは、図示しない画像処理装置により画像処理が施された後、画像形成ユニット１Ｙ，１Ｍ，１Ｃ，１Ｋによって作像作業が実行される。
【０１０９】
画像処理装置では、入力された反射率データに対して、シェーディング補正、位置ズレ補正、明度／色空間変換、ガンマ補正、枠消しや色編集、移動編集等の各種画像編集等の画像処理が施される。画像処理が施された画像データは、Ｙ、Ｍ、Ｃ、Ｋの４色の色材階調データに変換され、レーザ露光器１３に出力される。
【０１１０】
レーザ露光器１３では、入力された色材階調データに応じて、例えば半導体レーザから出射された露光ビームＢｍを画像形成ユニット１Ｙ，１Ｍ，１Ｃ，１Ｋの各々の感光体１１に照射している。画像形成ユニット１Ｙ，１Ｍ，１Ｃ，１Ｋの各感光体１１では、帯電器１２によって表面が帯電された後、このレーザ露光器１３によって表面が走査露光され、静電潜像が形成される。形成された静電潜像は、各々の画像形成ユニット１Ｙ，１Ｍ，１Ｃ，１Ｋによって、Ｙ、Ｍ、Ｃ、Ｋの各色のトナー像として現像される。
【０１１１】
画像形成ユニット１Ｙ，１Ｍ，１Ｃ，１Ｋの感光体１１上に形成されたトナー像は、各感光体１１と中間転写ベルト１５とが接触する一次転写部１０において、中間転写ベルト１５上に転写される。より具体的には、一次転写部１０において、一次転写ロール１６により中間転写ベルト１５の基材に対しトナーの帯電極性（マイナス極性）と逆極性の電圧（一次転写バイアス）が付加され、トナー像を中間転写ベルト１５の表面に順次重ね合わせて一次転写が行われる。
【０１１２】
トナー像が中間転写ベルト１５の表面に順次一次転写された後、中間転写ベルト１５は移動してトナー像が二次転写部２０に搬送される。トナー像が二次転写部２０に搬送されると、搬送手段では、トナー像が二次転写部２０に搬送されるタイミングに合わせて給紙ロール５１が回転し、用紙収容部５０から目的とするサイズの用紙Ｋが供給される。給紙ロール５１により供給された用紙Ｋは、搬送ロール５２により搬送され、搬送ガイド５３を経て二次転写部２０に到達する。この二次転写部２０に到達する前に、用紙Ｋは一旦停止され、トナー像が保持された中間転写ベルト１５の移動タイミングに合わせて位置合わせロール（不図示）が回転することで、用紙Ｋの位置とトナー像の位置との位置合わせがなされる。
【０１１３】
二次転写部２０では、中間転写ベルト１５を介して、二次転写ロール２２が背面ロール２５に加圧される。このとき、タイミングを合わせて搬送された用紙Ｋは、中間転写ベルト１５と二次転写ロール２２との間に挟み込まれる。その際に、給電ロール２６からトナーの帯電極性（マイナス極性）と同極性の電圧（二次転写バイアス）が印加されると、二次転写ロール２２と背面ロール２５との間に転写電界が形成される。そして、中間転写ベルト１５上に保持された未定着トナー像は、二次転写ロール２２と背面ロール２５とによって加圧される二次転写部２０において、用紙Ｋ上に一括して静電転写される。
【０１１４】
その後、トナー像が静電転写された用紙Ｋは、二次転写ロール２２によって中間転写ベルト１５から剥離された状態でそのまま搬送され、二次転写ロール２２の用紙搬送方向下流側に設けられた搬送ベルト５５へと搬送される。搬送ベルト５５では、定着装置６０における最適な搬送速度に合わせて、用紙Ｋを定着装置６０まで搬送する。定着装置６０に搬送された用紙Ｋ上の未定着トナー像は、定着装置６０によって熱及び圧力で定着処理を受けることで用紙Ｋ上に定着される。そして定着画像が形成された用紙Ｋは、画像形成装置の排出部に設けられた排紙収容部（不図示）に搬送される。
【０１１５】
一方、用紙Ｋへの転写が終了した後、中間転写ベルト１５上に残った残留トナーは、中間転写ベルト１５の回転に伴ってクリーニング部まで搬送され、クリーニング背面ロール３４及び中間転写ベルトクリーナ３５によって中間転写ベルト１５上から除去される。
【０１１６】
以上、本発明の実施形態について説明したが、本発明は上記実施の形態に限定的に解釈されるものではなく、種々の変形、変更、改良が適用され、本発明の要件を満足する範囲内で実現されることは言うまでもない。
【実施例】
【０１１７】
以下、実施例により本実施形態を詳細に説明するが、本実施形態は、これら実施例に何ら限定されるものではない。なお、以下の説明において、特に断りのない限り、「部」及び「％」はすべて質量基準である。
【０１１８】
［定着ベルトの作製］
＜実施例１＞
耐熱性繊維を含む最内層として、ポリイミドワニス（商品名：ＫＸ−Ｒ、ユニチカ社製）に、ポリイミド繊維（商品名：Ｐ８４、東洋紡社製、直径１０μｍ、長さ３ｍｍ）を、固形分で５０質量％となるように配合し、プラネタリーミキサーにて混合撹拌した。φ１６８（外径１６８ｍｍ）アルミ金型上に、ポリイミド繊維を配合したポリイミドワニスを固形分の厚さが５μｍになるように、ブレード塗布法により塗布した。
続けて、塗布して得た最内層となる塗膜上に、基材として、ポリイミドワニス（商品名：ＫＸ−Ｒ、ユニチカ社製）を固形分の厚さが７０μｍとなるように、ブレード塗布法により塗布した。次いで、１３０℃、２０分間の条件で乾燥した後、最高温度３２０℃、２０分間の条件で焼成した。冷却後、金型から脱型して、ポリイミド繊維を含む最内層と、ポリイミド樹脂の基材を得た。
このポリイミド樹脂の基材上に、付加硬化液状シリコーンゴムを、ブレード塗布法により厚さが３００μｍとなるように塗布し、１２０℃、２０分間の条件で１次焼成を行った後、内面接着処理済みのＰＦＡチューブを被覆した。その後、２００℃、４時間の条件で２次焼成し、実施例１の定着ベルトを得た。
【０１１９】
＜実施例２〜１１＞
耐熱性繊維の直径と長さ、材質、及び最内層の厚さを下記の表１に記載した内容に変更した以外は、実施例１と同様にして、実施例２〜１１の定着ベルトを得た。
なお、表１中の「ＰＩ」は、ポリイミド繊維、及び「ＰＰＳ」は、ポリフェニレンサルファイド繊維（商品名：プロコン、東洋紡社製）である。
【０１２０】
＜比較例１＞
ブラスト加工によって表面を粗面化したφ１６８（外径１６８ｍｍ）アルミ金型上に、ポリイミドワニス（商品名：ＫＸ−Ｒ、ユニチカ社製）を固形分の厚さが８０μｍとなるように、ブレード塗布法により塗布した。１３０℃、２０分間の条件で乾燥後、最高温度３２０℃、２０分間の条件で焼成し、冷却後に金型から脱型して、粗面化したポリイミド樹脂の基材（１）を得た。基材として、この粗面化したポリイミド樹脂の基材（１）を用いること、及び耐熱性繊維を含む最内層を形成しないことに変更した以外は、実施例１と同様にして、比較例１の定着ベルトを得た。
【０１２１】
＜比較例２＞
切削加工によって表面を粗面化したφ１６８（外径１６８ｍｍ）アルミ金型上に、ポリイミドワニス（商品名：ＫＸ−Ｒ、ユニチカ社製）を固形分の厚さが８０μｍとなるように、ブレード塗布法により塗布した。１３０℃、２０分間の条件で乾燥後、最高温度３２０℃、２０分間の条件で焼成し、冷却後に金型から脱型して、粗面化したポリイミド樹脂の基材（２）を得た。基材として、この粗面化したポリイミド樹脂の基材（２）を用いること、及び耐熱性繊維を含む最内層を形成しないことに変更した以外は、実施例１と同様にして、比較例２の定着ベルトを得た。
【０１２２】
［評価］
加熱ベルトとして、各例で得られた定着ベルトを富士ゼロックス社製の画像形成装置（ＣｏｌｏｒＰｒｅｓｓ１０００）の定着装置に装着した。この画像形成装置により、Ｊ紙（富士ゼロックス社製）を用いて、１００万枚の画像を出力し、走行試験を行った。走行試験終了後、定着ベルトの内周面の潤滑剤の保持状態を観察した。
なお、定着温度として、定着ベルトの内周面の温度を測定し、２１０℃以上２１５℃以下の範囲になるように制御した。
【０１２３】
（評価基準）
Ａ（◎）：１００万枚の画像を出力させるまで、定着ベルトの走行制御不良は発生しなかった。走行試験終了後、定着ベルト内周面の潤滑剤の保持量は維持していた。
Ｂ（○）：１００万枚の画像を出力させるまで、定着ベルトの走行制御不良は発生しなかった。走行試験終了後、定着ベルト内周面の潤滑剤の保持量は減少していた。
Ｃ（×）：１００万枚の画像を出力させまでに、定着ベルト走行制御不良が発生した。走行試験終了後、定着ベルト内周面の潤滑剤は枯渇していた。
【０１２４】
【表１】
0006446916.tif 000002
【０１２５】
上記結果から、本実施例では、比較例に比べ、高温の条件で使用した場合において、定着部材の内周面に保持する潤滑剤の保持量の減少が抑制されていることが分かる。
【符号の説明】
【０１２６】
６０  定着装置
６１  加熱ロール
６２  加圧ベルト
６３  ベルト走行ガイド
６４  押圧パッド
６４ａ  前挟込部材
６４ｂ  剥離挟込部材
６５  保持部材
６６  ハロゲンランプ
６８  摺動部材
６９  感温素子
７０  剥離部材
７１  剥離爪
７２  保持部材
８０  定着装置
８２  摺動部材
８４  加熱ベルト
８６  定着ベルトモジュール
８８  加圧ロール
８９Ａ  ハロゲンヒータ
８９  加熱押圧ロール
９０Ａ  ハロゲンヒータ
９０  支持ロール
９２Ａ  ハロゲンヒータ
９２  支持ロール
９４  姿勢矯正ロール
９６  支持部材
９８  支持ロール
１００  画像形成装置
１１０  定着部材
１１０Ａ  基材
１１０Ｂ  最内層
１１０Ｃ  弾性層
１１０Ｄ  表面層
【図１】
0006446916.tif 000003
【図２】
0006446916.tif 000004
【図３】
0006446916.tif 000005
【図４】
0006446916.tif 000006